(57)【特許請求の範囲】
【請求項１】
柄体と、
この柄体の一端部に支持されて下方に突き出すアーム体と、
このアーム体の下端に左右方向に軸線を沿わせた軸をもって回動可能に組み付けられた一又は互いの間に左右方向に間隔を開けて配された二以上の橇体とを備えており、
橇体の後端部には、互いの間に左右方向に間隔を開けて複数の除草刃が備えられていると共に、各除草刃は後方に刃先を向けて突きだし且つ各除草刃にはこの刃先側を下方に位置させる反りがつけられており、
しかも、橇体とアーム体との回動組み付け箇所が、橇体の前後方向略中程の位置より後方に位置されていることを特徴とする除草具。
【請求項２】
柄体を支持して橇体の滑走面を接地させた状態において、橇体とアーム体との回動組み付け箇所が、柄体によるアーム体の支持位置の直下位置よりも後方に位置されるようになっていることを特徴とする請求項１に記載の除草具。
【請求項３】
橇体の上面側に、竹の枝を、橇体の後端から後方に突き出させると共に後方に向かうに連れて橇体の移動中心線から次第に離れるように取り付けさせる取り付け部が備えられていることを特徴とする請求項１又は請求項２に記載の除草具。
【請求項４】
取り付け部によって、竹の枝を、橇体の後端から後方に向かうに連れて斜め下がりになるように、橇体に取り付けさせるようにしてあることを特徴とする請求項３に記載の除草具。
【請求項５】
取り付け部が、橇体の左右にそれぞれ備えられていることを特徴とする請求項３又は請求項４のいずれか１項に記載の除草具。
【請求項６】
取り付け部が、竹の枝をその一側方から受け入れ支持する第一保持部と、これをその他側方から受け入れ支持する第二保持部とを備えて構成されていることを特徴とする請求項３〜請求項５のいずれか１項に記載の除草具。
【発明の詳細な説明】
【技術分野】
【０００１】
この発明は、作物が成育中の耕土において、除草をするために用いられる除草具に関する。
【背景技術】
【０００２】
農業においては、雑草の抑制が課題の一つであり、この除草をどうするかは有機農法においては重要な課題とされる。このために合鴨農法なども採用されるところである。したがって、耕土上を単純に移動させることで、短時間に広い面積での除草をなせるような機器が望まれるところである。なお、人力で畑の株間の除草をなす機器として、特許文献１に示されるものがある。
【特許文献１】特許第３４２３９５２号公報
【発明の開示】
【発明が解決しようとする課題】
【０００３】
この発明が解決しようとする主たる問題点は、耕土上を単純に移動させることで短時間に広い面積での除草をなせる除草具を、簡素な構造をもって、したがって故障しにくくメンテナンスも容易なものとして、さらには人力でも容易に動かせるものとして、提供する点にある。
【課題を解決するための手段】
【０００４】
前記課題を達成するために、この発明にあっては、除草具を、以下の（１）〜（５）の構成を備えたものとした。
（１）柄体と、
（２）この柄体の一端部に支持されて下方に突き出すアーム体と、
（３）このアーム体の下端に左右方向に軸線を沿わせた軸をもって回動可能に組み付けられた一又は互いの間に左右方向に間隔を開けて配された二以上の橇体とを備えており、
（４）橇体の後端部には、互いの間に左右方向に間隔を開けて複数の除草刃が備えられていると共に、各除草刃は後方に刃先を向けて突きだし且つ各除草刃にはこの刃先側を下方に位置させる反りがつけられており、
（５）しかも、橇体とアーム体との回動組み付け箇所が、橇体の前後方向略中程の位置より後方に位置されている。
【０００５】
かかる構成によれば、柄体の他端側を支持して柄体の一端側の下方にアーム体を介して橇体を、その滑走面を下に耕土上に配させることができる。この状態から、柄体を移動させると、雑草は押し倒されて橇体の前端側の下方に土ないし泥と一緒に入り込みこのように入り込む土ないし泥によって橇体はアーム体との回動組み付け箇所を中心に回動して橇体の前端側は上方に持ち上がる。橇体がこのように回動されると橇体の後端側は下方に移動され、耕土に食い込み倒された雑草の根を掻き取る。根を掻き取られた雑草は橇体の移動により土ないし泥中に埋まり除去が完了する。橇体はアーム体に回動可能に組み付けられていることから、耕土の起伏に沿うように橇体は回動され耕土上を橇体はスムースに移動される。アーム体と橇体との回動組付け箇所は橇体の前後方向中程の位置より後方に位置されていることから、橇体の前端側の持ち上がりによって除草刃を耕土に強く食い込ませて雑草の根を確実に掻き取ることができる。橇体を複数備えさせた場合、それぞれの橇体を作物の条間に配させてこの条に沿って除草具を移動させれば、複数の条間の除草を除草具の一回の移動によって完了させることができる。かかる除草具の機構は簡素であり、したがって故障などは少なく、長期に亘る使用が可能とされる。また、橇体により耕土上の移動はスムースであり、力のない女性や年配者でも人力で操作することが可能とされる。
【０００６】
前記柄体を支持して橇体の滑走面を接地させた状態において、橇体とアーム体との回動組み付け箇所が、柄体によるアーム体の支持位置の直下位置よりも後方に位置されるようにしておけば、橇体を所望の向きに真っ直ぐに移動させ易くなる。
【０００７】
前記橇体の上面側に、竹の枝を、橇体の後端から後方に突き出させると共に後方に向かうに連れて橇体の移動中心線から次第に離れるように取り付けさせる取り付け部を備えさせておくこともある。こうすれば前記条間に橇体を移動させるときにこの竹の枝によって株間の雑草も除去させることができる。
【０００８】
この場合さらに、前記取り付け部によって、竹の枝を、橇体の後端から後方に向かうに連れて斜め下がりになるように、橇体に取り付けさせるようにしておくこともある。こうすれば、除草効果がより向上される。
【０００９】
また、この場合さらに、前記取り付け部を、橇体の左右にそれぞれ備えさせておくこともある。こうすれば橇体が間を移動する二つの条のそれぞれにおいて株間の除草が可能となる。
【００１０】
また、前記取り付け部を、竹の枝をその一側方から受け入れ支持する第一保持部と、これをその他側方から受け入れ支持する第二保持部とを備えて構成させておけば、竹の枝をそれぞれの保持部にこれをしならせながら引っかけて、橇体の上面側にワンタッチで取り付けさせることができる。
【発明の効果】
【００１１】
この発明にかかる除草具によれば、植えられた作物の条間においてこの条に沿って橇体を移動させるように除草具を移動させることで、短時間に広い面積での除草を適切になすことができる。除草具は、柄体とアーム体と橇体とを組み合わせた簡素な構造であり、したがって故障しにくくメンテナンスも容易である。また、かかる除草具は、柄体を利用して人力でも容易に動かすことができる。
【発明を実施するための最良の形態】
【００１２】
以下、図１〜図７に基づいて、この発明を実施するための最良の形態について説明する。
【００１３】
なお、ここで図１は実施の形態にかかる除草具の利用状態を示しており、図２〜図４はかかる除草具をそれぞれ表している。また、図５はかかる除草具を構成する橇体３の一つに竹の枝４を取り付けさせた状態を上方から視て、図６は除草具の機能を耕土Ｍを模式的に表した状態でこの耕土Ｍ上に橇体３を表して示している。また、図７は除草具による複数条の条間Ｓと株間の除草とを同時に実現し得る構成を理解し易いように、耕土Ｍ上に植えられた作物Ｐと除草具の橇体３とを模式的に表して示している。
【００１４】
この実施の形態にかかる除草具は、作物Ｐが成育中の耕土Ｍにおいて、除草をするために用いられるものである。
【００１５】
この実施の形態にあっては、かかる除草具は、人力での使用が可能な構造になっている。より具体的には、かかる除草具は、手押しにより、耕土Ｍ上を移動させることで、この耕土Ｍの除草を適切になせる構造になっている。また、かかる除草具は、水田での除草に適した構造になっている。水田での除草においては、ひえ、あわなどの雑草Ｐ’が除去対象とされる。かかる除草具は、条間Ｓの除草を後述する橇体３によって、株間（一つの条の隣り合う作物の間）の除草をこの橇体３に取り付けられる竹の枝４によって、なすように構成されている。竹の枝４としては、孟宗竹、真竹、淡竹の枝を用いる。これらの枝は、植えられたばかりの作物Ｐ、典型的には、植えられたばかりの稲の苗に触れてもこれを痛めることなくしなって避け、この苗の近傍に生えた雑草Ｐ’のみを抜き取るように機能し得るところであり、これらの枝としては前記孟宗竹、真竹、淡竹の枝からこうした機能を備えた太さのものを選択する。
【００１６】
かかる除草具は、以下の（１）〜（３）の各要素を組み合わせてなる。
（１）柄体１
（２）アーム体２
（３）橇体３
【００１７】
柄体１は、アーム体２および橇体３を支持すると共に、これを利用して橇体３を耕土Ｍ上で滑らせながら除草具を移動させるものである。図示の例では、かかる柄体１は、左右二本の棒状体１０、１０間に、前後に隣り合う架設棒体１１との間に間隔を開けて三本の架設棒体１１…１１を架設させると共に、二本の棒状体１０、１０の一端をそれぞれ左右方向に長いアーム支持棒体１２の長さ方向略中程の位置に止着させ、かつ、二本の棒状体１０、１０の他端をそれぞれ左右方向に長い把持棒体１４の中間部に止着させてなる。図示の例では、把持棒体１４を把持して前方に除草具を押して除草をなすように構成されている。
【００１８】
アーム体２は、前記柄体１の一端部１３に支持されて下方に突き出す棒状をなすように構成されている。図示の例では、前記柄体１を構成する各部材とアーム体２はいずれも、木製の角材によって構成されている。かかる角材としてはその重さ、剛性、痛みにくさなどを考慮すると、赤松の角材が適している。図示の例では、除草具は、左右方向に隣り合う橇体３との間に間隔を開けて、５個の橇体３を備えた構成とされており、これに対応して、アーム体２も５本備えられている。各アーム体２はいずれも、その上端２０側を柄体１の一端部１３すなわち前記アーム支持棒体１２に、二個のＵ字状金物２１ａ、２１ａと、このＵ字状金物２１ａの端部間に亘る長さを持つと共にＵ字状金物２１ａの端部を通す通し穴を備えた板状金物２１ｂとからなる連結金物２１によって、組み付けられている。具体的には、アーム体２の上端側を上下に間隔をおいて配される一対のＵ字状金物２１ａ、２１ａ内に通すと共に、上側のＵ字状金物２１ａの一端と下側のＵ字状金物２１ａの一端との間および上側のＵ字状金物２１ａの他端と下側のＵ字状金物２１ａの他端との間とにそれぞれ板状金物２１ｂを架設してこの二枚の板状金物２１ｂとアーム体２との間にアーム支持棒体１２を通し、その上で板状金物２１ｂの通し穴から突き出されているＵ字状金物２１ａの端部にナット２１ｃを締め付けることで、柄体１とアーム体２とを組み付けている。図示の例では、かかる連結金物２１によって、柄体１に対してアーム体２が略直交するように組み付けられている。（図３）
【００１９】
橇体３は、前記アーム体２の下端に左右方向に軸線を沿わせた軸３０をもって回動可能に組み付けられている。この実施の形態にあっては、互いの間に左右方向に間隔を開けて配された五個の橇体３…３を備えている。隣り合う橇体３、３の前後方向に沿った仮想の移動中心線ｘ間には、植えられた作物Ｐの条間Ｓの間隔と略等しい間隔が開けられる。かかる橇体３は、前後方向に長い板状主体３１を備えている。かかる橇体３は、典型的には、金属によって構成される。
【００２０】
図示の例では、前後寸法を400mm、左右寸法を200mmとした板状の橇体３を、隣り合う橇体３、３の移動中心線間に300mmの間隔を開けるようにして配しており、最も右側の橇体３を構成する板状主体３１の右辺３１ｇと最も左側の橇体３を構成する板状主体３１の左辺３１ｈとの間の寸法が1400mmとなるようにしている。隣り合う橇体３、３間には100mmの間隔が形成されている。なお、図示の例では、アーム体２は長さ500mm、柄体１は長さ1270mmとされており、柄体１との組み付け箇所からアーム体２の下端までの寸法はおよそ370mmとなっている。
【００２１】
橇体３を構成する板状主体３１の前端部３１ａは、平面視の状態において山状をなすように成形されている。かかる板状主体３１には、その前端から後端近傍までの箇所に、上方を湾曲内側とする仮想の円（R350mm）の円弧に沿った第一の反り３１ｃがつけられている。
【００２２】
橇体３の後端部３１ｂには、互いの間に左右方向に間隔を開けて複数の除草刃３１ｅ…３１ｅが備えられていると共に、各除草刃３１ｅは後方に刃先３１ｆを向けて突きだし且つ各除草刃３１ｅにはこの刃先３１ｆ側を下方に位置させる反りがつけられている。図示の例では、板状主体３１の後端を、平面視の状態において頂部を尖らせた波形状をなすように成形させて、橇体３の後端部３１ｂに複数の除草刃３１ｅ…３１ｅを備えさせている。この尖らされた頂部が前記刃先３１ｆとして機能するようになっている。板状主体３１には、除草刃３１ｅの基部から刃先３１ｆに亘って下方を湾曲内側とする仮想の円（R50mm）の円弧に沿った第二の反り３１ｄがつけられている。
【００２３】
橇体３の滑走面３２、つまり、裏面は、かかる第一及び第二の反り３１ｃ、３１ｄによって、側面視の状態において、略Ｓ字形をなすように湾曲している。（図３）
【００２４】
かかる橇体３とアーム体２との回動組み付け箇所３３は、橇体３の前後方向略中程の位置より後方に位置されている。図示の例では、橇体３の上面に備えられた左右一対のブラケット３４、３４を介して、橇体３にアーム体２の下端２２が回動可能に組み付けられている。一対のブラケット３４、３４はそれぞれ前後方向に長い縦板部３４ａを有すると共に、この縦板部３４ａの前端と後端とにそれぞれ縦板部３４ａの下端からこの縦板部３４ａに直交する向きに突き出す横板部３４ｂとを備えている。一対のブラケット３４、３４はそれぞれ他方のブラケット３４の縦板部３４ａとの間にアーム体２の下端の入れ込み隙間を開けた状態で、その横板部３４ｂを板状主体３１の上面にリベット止めすることで板状主体３１に備え付けられている。かかる一対のブラケット３４、３４の縦板部３４ａにおける後端側にボルトの通し穴３４ｃが貫通状態に形成されていると共に、軸３０となるボルト３０ａを一対のブラケット３４、３４の通し穴３４ｃとアーム体２の下端に形成させた通し穴２２ａとに通してその端部にナット３０ｂを止め付けることで、アーム体２の下端２２に橇体３がその滑走面３２を下にして、かつ、板状主体３１の前端部３１ａを上下動させる回動を可能とさせた状態で組み付けられている。図示の例では、かかる回動組み付け箇所は、板状主体３１の後端から前方に120mm離れた位置に設定されており、回動組み付け箇所と板状主体３１の前端との間の間隔は、280mmとなっている。
【００２５】
かかる構成によれば、柄体１の他端側を支持して柄体１の一端側の下方にアーム体２を介して橇体３を、その滑走面３２を下に耕土Ｍ上に配させることができる。この状態から、柄体１を移動させると、図示の例では前方に押すと、雑草Ｐ’は押し倒されて橇体３の前端側の下方に土ないし泥と一緒に入り込みこのように入り込む土ないし泥によって橇体３はアーム体２との回動組み付け箇所３３を中心に回動して橇体３の前端側は上方に持ち上がる。（図６）橇体３がこのように回動されると橇体３の後端側は下方に移動され、耕土Ｍに食い込み倒された雑草Ｐ’の根を掻き取る。根を掻き取られた雑草Ｐ’は橇体３の移動により土ないし泥中に埋まり除去が完了する。橇体３はアーム体２に回動可能に組み付けられていることから、耕土Ｍの起伏に沿うように橇体３は回動され耕土Ｍ上を橇体３はスムースに移動される。アーム体２と橇体３との回動組付け箇所は橇体３の前後方向中程の位置より後方に位置されていることから、橇体３の前端側の持ち上がりによって除草刃３１ｅを耕土Ｍに強く食い込ませて雑草Ｐ’の根を確実に掻き取ることができる。図示の例では、特に、前記回動組み付け箇所３３の直下と第二の反り３１ｄのつけられた箇所との間に第一の反り３１ｃによる湾曲部分が残されていることから、橇体３の前端側の持ち上がりによって除草刃３１ｅを耕土Ｍにより効果的に食い込ませることができるようになっている。橇体３を複数備えさせた場合、それぞれの橇体３を作物Ｐの条間Ｓに配させてこの条に沿って除草具を移動させれば、複数の条間Ｓの除草を除草具の一回の移動によって完了させることができる。かかる除草具の機構は簡素であり、したがって故障などは少なく、長期に亘る使用が可能とされる。また、橇体３により耕土Ｍ上の移動はスムースであり、力のない女性や年配者でも人力で操作することが可能とされる。
【００２６】
また、この実施の形態にあっては、柄体１を支持して橇体３の滑走面３２を接地させた状態において、橇体３とアーム体２との回動組み付け箇所３３が、柄体１によるアーム体２の支持位置１５の直下位置よりも後方に位置されるようになっている。この実施の形態にあっては、柄体１の一端部１３よりも下方で橇体３は接地し、かつ、柄体１側の荷重が作用される橇体３における前記回動組み付け箇所３３の直下位置が、柄体１によるアーム体２の支持位置１５の直下位置よりも後方に位置されるようになっている。（図１）これにより、この実施の形態にあっては、橇体３を耕土Ｍにめり込ませ過ぎることがなく、また、橇体３を所望の向きに真っ直ぐに移動できるようになっている。
【００２７】
また、この実施の形態にあっては、橇体３の上面側に、竹の枝４を、橇体３の後端から後方に突き出させると共に後方に向かうに連れて橇体３の移動中心線ｘから次第に離れるように取り付けさせる取り付け部３５が備えられている。この実施の形態にあっては、かかる取り付け部３５が、橇体３の左右にそれぞれ備えられている。また、各取り付け部３５は、竹の枝４をその一側方から受け入れ支持する第一保持部３５ａと、これをその他側方から受け入れ支持する第二保持部３５ｂとを備えて構成されている。さらに、かかる取り付け部３５によって、竹の枝４を、橇体３の後端から後方に向かうに連れて斜め下がりになるように、橇体３に取り付けさせるようにしてある。
【００２８】
図示の例では、ブラケット３４の縦板部３４ａの前端に形成された、前方に開放されて後方に向けて横向きに延びる切り欠き３４ｄと、橇体３の後端側において下端を橇体３の上面に止着させて上方に突きだし且つ突き出し端に橇体３の移動中心線ｘから離れる向きに突き出す引っかかり部３６ａを備えた後側引っかけ部３６と、切り欠き３４ｄと後側引っかけ部３６との間にあって下端を橇体３の上面に止着させて上方に突きだし且つ突き出し端に橇体３の移動中心線ｘ側に突き出す引っかかり部３７ａを備えた前側引っかけ部３７とにより、前記取り付け部３５を構成させている。橇体３の前端部側から視たときの右側のブラケット３４と橇体３の板状主体３１の右辺３１ｇとの間に前側引っかけ部３７と後側引っかけ部３６とがそれぞれ設けられ、かつ、左側のブラケット３４と橇体３の板状主体３１の左辺３１ｈとの間に前側引っかけ部３７と後側引っかけ部３６とがそれぞれ設けられている。また、橇体３の左右においてそれぞれ、前側引っかけ部３７の引っかかり部３７ａの突きだし側の側面は、後側引っかけ部３６の引っかかり部３６ａの突きだし側の側面よりも橇体３の移動中心線ｘに近い位置に位置され、さらに、ブラケット３４の前記切り欠き３４ｄは前側引っかけ部３７の引っかかり部３７ａの突きだし側の側面よりも橇体３の移動中心線ｘに近い位置に位置されている。また、ブラケット３４の切り欠き３４ｄは両引っかけ部３６、３７の引っかかり部３６ａ、３７ａよりも高い位置にある。
【００２９】
これにより、図示の例では、ブラケット３４の切り欠き３４ｄと後側引っかけ部３６とを前記第一保持部３５ａとして、また、前側引っかけ部３７を前記第二保持部３５ｂとして、竹の枝４をそれぞれの保持部にこれをしならせながら引っかけて、橇体３の上面側にワンタッチで取り付けさせることができる。（図５）取り付けられた竹の枝４は、後方に向かうに連れて橇体３の移動中心線ｘから離れるように突き出されることから、前記条間Ｓに橇体３を移動させるときにこの竹の枝４によって株間の雑草Ｐ’も除去させることができる。このとき前記のように橇体３の後端から斜め後方に突き出される竹の枝４のしなりにより、植えられた作物Ｐを痛めないようにして、雑草Ｐ’を除去させるようにすることができる。（図７）橇体３の左右にそれぞれ取り付け部３５を備えさせておくことにより、橇体３が間を移動する二つの条のそれぞれにおいて株間の除草が可能とされる。図示の例では、５個の橇体３とこれの左右にそれぞれ取り付けられる竹の枝４によって、除草具の一回の移動により、５箇所の条間Ｓの除草に加え、この５箇所の条間Ｓとこれに隣接する左右の条の株間の除草ができるようになっている。畦に沿った除草においては、この畦側に位置される橇体３に取り付けられた竹の枝４により、かかる畦の除草もなすことができる。（図７）ブラケット３４の切り欠き３４ｄが前記両引っかけ部３６、３７より高い位置にあることから、前記のように取り付けられた竹の枝４は後方に向かうに連れて斜め下がりに位置づけられ、これにより除草効果がより向上されている。
【００３０】
図示のように構成された除草具によれば、一反（３００坪）の田の除草を３０分で完了させることができた。
【図面の簡単な説明】
【００３１】
【図１】除草具の利用状態を示した側面構成図
【図２】除草具の平面図
【図３】同側面図
【図４】図３の右側から視た除草具の側面図
【図５】橇体３の平面図
【図６】橇体３の側面図
【図７】除草具の利用状態を示した平面構成図
【符号の説明】
【００３２】
１  柄体
１３  一端部
２  アーム体
３  橇体
３０  軸
３１ｂ  後端部
３１ｅ  除草刃
３１ｆ  刃先
３３  回動組み付け箇所
【図１】
0004881907.tif 000002
【図２】
0004881907.tif 000003
【図３】
0004881907.tif 000004
【図４】
0004881907.tif 000005
【図５】
0004881907.tif 000006
【図６】
0004881907.tif 000007
【図７】
0004881907.tif 000008